(57)【要約】【目的】引力を使い焦点をつけて円型を右側面にしてその先端に錘を似合う程にする、円盤を起こして引力を使って回す時なんの迷いもなく完全に回る。もし回転が遅ければ錘にもっと大きく重いものに取り替えれば良いのである。【構成】円盤（１）は円い平盤を使用する、そしてより円みを念入りに仕上げないとこの発明の神髄となる。平盤の中心に穴をあけて軸（６）を固定する、円盤の切り口（７）でサイズを決めてそこに繋ぎをまとめる鉄板（４）を切る。なお補強板（５）をつけ完璧なものにしたい。丸い錘（２）を均一にして固定する、引力は円形にした丸い錘（２）をつけて頂上（８）に用意をして円盤（１）を立てると回り始める、この自然界から生じる引力には差別なく平等である。永遠に尽きないエネルギーを背景にして電力を作りすべて電化生活、企業、供給を出して惜しまない、として繋ぎ（３）で基本姿勢を整える、回転が遅い、繋ぎをながく丸い錘（２）を長くする。【選択図】図−２
2005299627.tif 000002
【特許請求の範囲】
【請求項１】
円盤（１）のサイズを自由に選択して２枚作り１組とする。次に丸い錘（２）を作りその重量は自由に選択が出来る指定された場所へ１個づつ設置が出来る、それは円盤（１）の右の最先端から円の直径左側の最先端まで左右２個設置出来る、これが基本的に一部であって必要とあれば軸（６）を長くして土台さえつけてやれば、５基でも７基でも継続は出来る、構成は次の通り２枚作ったいずれかを倒して指定された場所の両先端へ１個づつ設置する丸い錘（２）をもう１枚の円盤（１）を上から被せるようにして設置する、この発明は引力の法則でありこの度の出合いとなった次第である。相手方は姿が見えない、触覚もない、匂いもない、何も見えない、存在価値を示さない。ただあるものは物質に条件を供えてやれば必ず落ちる、上にも斜めにもとばない、この発明で扱うのは引力だけ、円盤（１）に丸い錘（２）の重量を選択してつける、図−２のように左回転でも引力は真っ直ぐ下に落ちるはずが円盤（１）の丸い錘（２）がいっしょうに回る為に、真っ直ぐ下に落ちる力と丸い錘（２）の重量は力を合わして回転するとき円盤（１）の丸やかな曲りになるから真っ直ぐ下に落ちるはずですが円盤（１）と同じ回転となる、ここで真っ直ぐが、回転に変わる。それは左側半径の丸い錘（２）の錘の番号（▲１▼から▲６▼）まで引力と重量の２点で応対する、それに対して右側は丸い錘（１６）の（▲７▼、▲８▼）は逆回転引力に切り返えすひまもなく後続から押されてしまう。
【発明の詳細な説明】
【発明の詳細な説明】
【産業上の利用分野】
【０００１】この発明は、円盤（１）を２枚使用、丸い錘（２）を８個を円盤（１）の両最先端に設置する、この２枚の円盤（１）で挟むように設置するそうすると円盤（１）と同じ回転になる、それは円盤（１）の丸やかな曲りに回転発電となる、
【背景技術】
【０００２】従来、原子力発電があったがまず危険である、火力発電も重油は高い吐き出す煙は公害、水力発電のダムは天候に影響をされる雨が降れば洪水となりダムは大石の流れや、流木、砂利や砂の流れ込みでダムは埋ってしまう、雨が降らなければ干魃で発電中止だ、太陽ソーラーは昨年夏の異状気候て日照が少くなくては発電は中止になる、風力発電も風の無い日は発電は中止になる、理想を求めても周辺の災いにおびやかされ理想な結果は得られないのが発電である。
【発明が解決しようとする】
【０００３】  これは次のような欠点があった。
（イ）  水力発電は不規則が多いごく自然の天候の変化について行けない自然の力には掟てがあってどうにもならない、相応しい受け入れがないと駄目です。
（ロ）  大雨注意報、台風、長続きの雨による、２次災害の洪水も干魃も絶対に防ぎようがない自然の歪みは人間業では成す術を知らない改善は無理だろう。
（ハ）  太陽ソーラ発電とか風力発電は自然のエネルギーの反対の曇りや無風状態。だから物事を起す事前に調査して始める事です。
（ニ）  火力発電とか原子力発電は人体に悪影響を及ぼす危険きわみないものでダイオキシン、放射能は処理の方法もない。もし地下水汚染になったら危険た
（ホ）  頻繁な原子力発電所の事故で尊い人命を失った。亀裂の隠蔽問題不安募る県民の声、茨城県、福井県、最近事故が多すぎる。それに地下水汚染怖い。
本発明は、これらの欠点を除く為になされたものである。
【課題を解決する為の手段】
【０００４】円盤（１）と同じものを２枚作り、一方丸い錘（２）８個揃える、重量は自由に選択が出来る、図−１、ないし図−２のようになる、円盤（１）の直径の左右の最先端へ丸い錘（２）の指定所を作る、もう１枚の円盤で丸い錘（２）を左右から挟むようにして設置する、これて円盤（１）と丸い錘（２）のサイズは恰も同じである、完備したら１個頂上の（８）に合わしてスタートを待つ、この発明の願望は引力の法則と重量の丸い錘（２）の２つを組み合わせる、しかし引力本来は真っ直ぐ下に落ちることしか知らなかったそれを円盤（１）の活用にしたそれは軸（６）に対して円盤（１）と丸い錘（２）それを支える、繋ぎ、繋ぎをまとめる鉄板、補強板を全部そろえ軸（６）と直角にしてやると丸い錘（２）は全部長さは同じてある、円盤（１）の左右の最先端まで皆んな同じ回転となる、左回転なので左側は引力と丸い錘（２）の重みの早さで勢いよく回わり、反対の右回転は逆回転だけ、上にひく引力はないからだ  全体的回転は左回りで理想通りである、各施設の建設に条件を要望する、原子力発電は海辺、水力発電は山間の渓流、火力発電は市内、太陽ソーラは人家の屋根、風力発電は野原の高台。すべての施設は条件を要する。この発明に関してはどこでも良い。引力はどこにでも適応される、
本発明は、以上のような構成よりなる引力と重量で成る発電装置
【作用】
【０００５】この発明は、円盤（１）と同じものを２枚作る。そして丸い錘（２）を８個作る。円盤（１）を８等分して指定席としてマークする、その指定席へ丸い錘（２）を１個づつ設置する。この丸い錘（２）の重量と引力の法則の２式を加入
2005299627.tif 000003
。そこで円盤（１）の使用となる、そして丸い錘（２）を円盤（１）に完璧に近い程度に設置する、円盤（１）の中心部に穴をあけて軸（６）を通す、直角になるようにして設置する、概要次の通り左回軸でスタートとなる引力の法則は下へとグイグイと引くそれが秩序である、それに追い討ちをかけるように丸い錘（２）を設置する、威力は抜群である、丸い錘の番号（１６）の▲１▼から起動すると円周率全体が丸やかな曲りになるから真っ直ぐ下に落ちる筈ですが円盤（１）と同じ回転となる、それは丸やかな曲りと円盤（１）の中心に軸（６）を設置にあると思います、回転されているかと思います、まず円盤（１）だが潜んでいる、まず円盤（１）は丸い錘（２）を携え２つを取り持ってしかもうまく、円盤（１）は持ち前の円周率の丸やかな曲りをうまく生かすようにすれば上下直線の動きも円盤（１）の巻き込む仕来りで回転に協力してくれる。
【実施例】
【０００６】  以下、本発明の実施例について説明する。
（イ）  円盤（１）のサイズは自由に選択が出来る、同類のものを２枚１組にする、この円盤（１）を８等分して次に赴く丸い錘（２）のために準備する。
（ロ）  丸い錘（２）を設置する時完璧になるように指定所に浅い窪みをつけていかに鉄工でもこちらの熱意が分かるらしく成績は上昇している。
（ハ）  半信半疑で成すべきはやる引力は変更が出来ません直角に落ちる引力の法則に対して丸い錘（２）の重量で協力をして早く落ちる為ですしかし円盤（１）と丸い錘（２）と同じサイズであるこの２つが協力している。
（ニ）  円周率の全域に満ちあふれている、丸やかな曲りになるから下に落ちるはずですが円盤（１）と同じ回転となる、もし遅いときは重量を加える。
（ホ）  この回転した力量は全部中心の軸（６）に集める、その集められた回転
2005299627.tif 000004
（ヘ）  この発明は自然に備わる引力の法則と人工的に作った丸い錘（２）は重くも、軽いものも自由に出来る、燃料は無用、無公害、一際の被害はない。
（ト）  円盤（１）を２枚、丸い錘（１）を１個、丸い錘（２）を左右から挟むようにして組み立てる、これで基本的に一基と云う軸（６）を少し長くしてそこに左右１基づつ合計３基、左右２基づつ合計５基、無限の可能性を含む。
本発明は以上のような構造で、これを使用するときは、円盤（１）のサイズは自由に選択してそれに相応しい物を選ぶ、円盤（１）同じ物を２枚作る、次に丸い錘（２）を１個作る、重量には大（重い）、中（普通）、小（軽い）それを用いてまず良く押さいる為に繋ぎ、（３）、繋ぎをまとめる鉄板（４）補強板（５）で丸い錘（２）を設置できる、もし必要とあらは溶接もやむをいまい。
▲１▼  円盤（１）のサイズは自由に選択して相応しい物を選ぶ、同じものを２枚作る、次に丸い錘（２）を作る、この丸い錘（２）を円盤（１）の指定された場所に設置する、方法は繋ぎ（３）、繋ぎをまとめる鉄板（４）補強板（５）以上の部品で取り付ける、この引力の法則に委ねるとき下に作動するだけで利用価値は少ない。そこで円盤（１）が出現となるこの円周率の全域が丸やかな曲りになるから引力で真っ直ぐ下に落ちるはずが円盤（１）の出現で丸い錘（２）も円盤（１）に設置してあるので一緒に回転しないと前進しないのですこの引力の法則は無限にあり、永久に続く自然のエネルギー、既にあるエネルギー、余ることもなく、足りないこともない、自然のエネルギーは私達を知り給う必要に応じ既に与え給う、その上無経費、無公害だからです、この引力の法則は真っ直ぐ下へ引く、しかし柵か障害、落下物の下側がなにかで塞がっていれば引力は成立しない、下側に空間があれば必ず引力は成立します、この発明の円盤（１）の円周率はどこにも触れていない。
▲２▼  円盤（１）の最先端は丸やかな曲りになるから真っ直ぐ下に落ちる、中心に軸（６）に対して円盤（１）を直角に設置する、この時点の引力に落ちる直線と、円周率の丸やかな曲りで少しづつ内側へ巻き込む方法で軸（６）は回転と変化していく。円盤（１）を通して活動するものには２つの特典がつきます、丸い錘の番号▲１▼から▲６▼までは自力で回って進む、丸い錘の▲７▼はもう限界に達してもう回らない一時停止に追い込まれる、そして最終的な▲８▼は自力逆回転で落下になってしまう、左回りで丸い錘の番号▲１▼がスタートで、図−２のようになる、もう１つの特典は重いほど回転は早い、引力と重量を加算した左回転と右回転は上昇は出来ない、一時停止しないと逆回転は出来ない、円盤（１）の丸やかな曲りで内側に巻き込み軸（６）を回転に導いて発電に寄与する。
▲３▼  引力が自ら動きだせば上から下まで一直線に落ちるもの、引力は下に落ちるときに作動する、後続隊が次から次へと押し出す格好で回転する、ここで円盤（１）を使用する、サイズは２枚を共に同じとする、次に丸い錘（２）を８個、１ヶ所に１個を設置する、同じ長さと同じ間隔で設置する、その丸い錘（２）を設置する時２枚の円盤（１）で左右から丸い錘（２）を挟むように設置する、以上は図−４を参照にして下さい、いざ着工する時は所を選ばず町外れ、送電線は地下に埋める、そして電柱を使用せず風変わりでもある。やはり円盤（１）と丸い錘（２）とはこの発明の主役である。以上述べたことは、引力は目に見えない、触覚もない、予想も出来ない、それに比べて円盤（１）に丸い錘（２）がつけられているそのとき指定席に設置されるとき円周率が整頓されてくると丸やかな曲りが生きて来ると思う、いざ本番でも別に問題なく快適に回転する、次から次へと回転は連続して続く、誰も命令した訳じゃないのにある一定の決りをクリアしている、これが自然の掟であるのでしょうか。
【発明の効果】
【０００７】▲１▼  同じ形の円盤（１）を２枚作り１組とするサイズは自由に選択は出来る。次に丸い錘（２）の重さは自由に選択が出来るが指定された場所へ１ヶづつ設置が出来る。それは円盤（１）の最先端に設置して左右から挟むようにして設置する。円盤（１）は基本的に円周率へ丸やかな曲りのあることに融和して便乗する、１基に許される丸い錘（２）は８個とするこれを基本とするもし力量が弱であれば軸（６）を延長して２基、３基と増設していけばよい、引力で真っ直ぐ下に落ちるのが一般通説である、円盤（１）の構成は大、小に拘らず円周率には丸やかな曲りになるから真っ直ぐ下に落ちる。これは丸い錘（２）を円盤（１）の指定された通り円盤（１）の左右の最先端に設置する、円盤（１）に対して軸（６）を直角に設置する、この円盤（１）の円周率が丸やかな曲りになるから真っ直ぐ下に落ちる、目に見えないが少しづつ丸やかな曲りを念頭にしないと前進はしない、引力のエネルギーがあっても物的にこれだと証拠は示せない、下に引く動きは見られるが、反対に上にあがる法則は見たこともない、左回転でスタートすると始めは引力の法則、そして丸い錘（２）の重量が合流する、流動エネルギー前述の通り３つのエネルギーが始動するので全体の回転も良好である。後半の▲６▼〜▲７▼の回転の抵抗も感じられない。
▲２▼  既に円盤（１）にマークしてある所へ丸い錘（２）を設置する、その時立てたまま左右から挟むようにして組み立てる、そのまま中心に軸（６）を設置する、この発明の志向を示す、普通引力の法則が働くと言うのは上から下へ、真っ直ぐ落ちる、引力についてはなにも解らない、しかし上に向けて障害物を取っても引力は上に引かない。これは丸い錘（２）は鉄や鋳物を材料として作られるそして取り付けも完璧に整える、同じ条件で作らないと良好な製品は完成しない、この丸い錘（２）も繋ぎ、繋ぎをまとめる鉄板、補強板この３つを使って完璧と成す、省みる。図−４のようになる丸い錘（２）は近づける程度しか出来ない引力とは人間界よりどこか遠い所にあるように思いてならない、第一引力が自分の存在価値を公表もしなかった、だから人達は手探りで引力の法則を知ることに努力した、まず接近しても危険が伴う、しかし一方通交である建設にしてもなにも作れない、だってなにも見えないので手伝いようがない、けど引力で働く力量は凄い力量を発揮する、今はその力量だけを拝借するだけ、次に丸い錘（２）の使命は与えられた通り丸い錘（２）に内在する重みと引力の内在する力量を組み合わせて発明に挑む、その段階で全体が見えれば簡単に発電所を建設出来たでしょうが、事実引力の法則は下に落ちるだけの一方通交に作動するだけで重量が真下に着くと途端に落下の速力が半減していく以上が引力の法則の内情です、次は円盤（２）で丸い錘（２）８箇  図−２）を参考、繋ぎ（３）、繋ぎ（３）をまとめる鉄板（４）補強板、（５）の器具で丸い錘（２）を設置する。円盤（２）はこの発明の中枢格です、円周率は３６０度と丸やかな曲りになるから円盤（１）と同じ回転となる。それは円盤（１）の中心に穴をあけ軸（６）を設置する、そして軸（６）に対して直角に設置するのです、いざスタート、と言うのにすむーずに回る筈がうまく回らなかった、停止したり回したり連続的な試運転を繰り返し試していた、円盤（１）の規模をかえたり、丸い錘（２）を大きくしたり、小さくしたりして、３回から回転も安定して来た、グングンとなる荒い回転も消えた、円盤（１）で３から４回転する頃に安定する、懸念するところ途中から立ち直る。引力の法則と丸い錘（２）重量、この２つの間にあって、もう１つの法則があり前側に早く行けよと押したり、後側にはおい余り押すなよと言う具合に双方を引き立て全体の繁栄に適う、もしこれが実現がしなかったら今の発明がなかった、それには同じ引力と同じ重量の丸い錘（２）、円盤（１）に使用する器具も全く同じで条件も同じである、これが押したり引いたりして回転に内助のコウ、一般常識で引力と重量も同じ方式で落下する、以上の２器では満足は出来なかった、しかし少１時間をかければ回転は理想に近い回転を披露してくれる、ここで隠れたエネルギーがあるとすれば流動性法則とでも言うか企画すべてが透明でなにも見えないので全部手探りの仕事です、
【図面の簡単な説明】
【図−１】  目方は自由に選択が出来る、正面図、背面図の両面が使用が出来る。
【図−２】  部品は指示された所に固定する、押さえる所は押える、正面図である。
【図−３】  実施に際して得たすべてのもの、正面図である
【図−４】  落下の法則は真っすぐ下に落ちるのと円盤で回転にする。正面図である。
【符号の説明】
１、円盤。
２、丸い錘。
３、繋ぎ。
４、繋ぎをまとめる鉄板。
５、補強板。
６、軸。とベヤリング。
７、円盤の切り口。２枚使う。
８、丸い錘りの重い程落下するのが早い。（頂上から落とす）
９、錘一個の性能では完走は出来ないので助力が必要となります。
１０、ゆっくり一時停止となる、そして逆回転となる。
１１、回転が始まってからここまで６個の錘を使用する。
１２、ここまで惰性で回転する。
１３、この時点で錘の使用数は７対１となる
１４、落下の法則は真っすぐ下に落ちる。けど目に見えない。
１５、円盤を使用して滑らかに曲っている、自然と回転になってしまう。
１６  丸い錘の番号
【図−１】
2005299627.tif 000005
【図−２】
2005299627.tif 000006
【図−３】
2005299627.tif 000007
【図−４】
2005299627.tif 000008